(57)【要約】  本発明は、リソース構成方法及び装置、コンピュータ記憶媒体を開示する。前記方法は、端末がネットワーク装置から送信された第一の制御情報を受信し、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられることと、前記端末が、前記第一のＢＷＰと前記第二のＢＷＰが同時にアクティブ化できるか否かを確定し、前記第一のＢＷＰと前記第二のＢＷＰが同時にアクティブ化できる場合、前記端末が前記第二のＢＷＰをアクティブ化すると同時に、前記第一のＢＷＰをアクティブ状態に維持し続けることとを含む。
2021516890.tif 000002
【特許請求の範囲】
【請求項１】
リソース構成方法であって、
端末が、ネットワーク装置から送信された第一の制御情報を受信し、前記端末の現在アクティブ化されている帯域幅部分（ＢＷＰ）が第一のＢＷＰであり、前記第一の制御情報が第一の指示情報を含み、前記第一の指示情報が、アクティブ化しようとするＢＷＰが第二のＢＷＰであることを示すことに用いられることと、
前記端末が、前記第一のＢＷＰと前記第二のＢＷＰが同時にアクティブ化できるか否かを確定し、前記第一のＢＷＰと前記第二のＢＷＰが同時にアクティブ化できる場合、前記端末が、前記第二のＢＷＰをアクティブ化すると同時に、前記第一のＢＷＰをアクティブ状態に維持し続けることとを含む、前記リソース構成方法。
【請求項２】
前記方法はさらに、
前記第一のＢＷＰと前記第二のＢＷＰが同時にアクティブ化できない場合、前記端末が、前記第二のＢＷＰをアクティブ化すると同時に、前記第一のＢＷＰを非アクティブ化することを含むことを特徴とする
請求項１に記載の方法。
【請求項３】
前記端末が前記第一のＢＷＰと前記第二のＢＷＰが同時にアクティブ化できるか否かを確定することは、
前記第一のＢＷＰと前記第二のＢＷＰが所定のルールを満たしている場合、前記端末が、前記第一のＢＷＰと前記第二のＢＷＰが同時にアクティブ化できることを確定することと、
前記第一のＢＷＰと前記第二のＢＷＰが所定のルールを満たしていない場合、前記端末が、前記第一のＢＷＰと前記第二のＢＷＰが同時にアクティブ化できないことを確定することとを含むことを特徴とする
請求項１又は２に記載の方法。
【請求項４】
前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含むことを特徴とする
請求項３に記載の方法。
【請求項５】
前記端末が前記第一のＢＷＰと前記第二のＢＷＰが同時にアクティブ化できるか否かを確定することは、
前記端末が、ネットワーク装置から送信された第二の制御情報を受信し、前記第二の制御情報が第二の指示情報を含み、前記第二の指示情報が、前記第一のＢＷＰと前記第二のＢＷＰが同時にアクティブ化できるか否かを示すことを含むことを特徴とする
請求項１又は２に記載の方法。
【請求項６】
前記第二の制御情報は、ダウンリンク制御情報（ＤＣＩ）、又は無線リソース制御（ＲＲＣ）シグナリング、又はシステム情報（ＳＩ）であることを特徴とする
請求項５に記載の方法。
【請求項７】
前記方法はさらに、
前記端末が、前記ネットワーク装置から送信された第一の構成情報を受信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられることと、
前記端末が、前記第一の構成情報に基づき、前記第一のＢＷＰ及び／又は前記第二のＢＷＰを非アクティブ化することとを含むことを特徴とする
請求項１−６のいずれか一項に記載の方法。
【請求項８】
前記方法はさらに、
前記端末が、前記ネットワーク装置から送信された第三の制御情報を受信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられることと、
前記端末が、前記第三の制御情報に基づき、前記第一のＢＷＰ及び／又は前記第二のＢＷＰを非アクティブ化することとを含むことを特徴とする
請求項１−６のいずれか一項に記載の方法。
【請求項９】
前記方法はさらに、
前記第一のＢＷＰと前記第二のＢＷＰの両方が非アクティブ化される場合、デフォルトのＢＷＰをアクティブ化することを含むことを特徴とする
請求項７又は８に記載の方法。
【請求項１０】
リソース構成方法であって、
ネットワーク装置が、端末へ第一の制御情報を送信することを含み、
前記端末の現在アクティブ化されているＢＷＰが第一のＢＷＰであり、前記第一の制御情報が第一の指示情報を含み、前記端末が前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続けるように、前記第一の指示情報が、アクティブ化しようとするＢＷＰが第二のＢＷＰであることを示す、前記リソース構成方法。
【請求項１１】
前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられることを特徴とする
請求項１０に記載の方法。
【請求項１２】
前記第一のＢＷＰと前記第二のＢＷＰが同時にアクティブ化できるか否かは、
前記第一のＢＷＰと前記第二のＢＷＰが所定のルールを満たしている場合、前記第一のＢＷＰと前記第二のＢＷＰが同時にアクティブ化できることと、
前記第一のＢＷＰと前記第二のＢＷＰが所定のルールを満たしていない場合、前記第一のＢＷＰと前記第二のＢＷＰが同時にアクティブ化できないこととを含むことを特徴とする
請求項１０又は１１に記載の方法。
【請求項１３】
前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含むことを特徴とする
請求項１２に記載の方法。
【請求項１４】
前記方法はさらに、
前記ネットワーク装置が、前記端末へ第二の制御情報を送信し、前記第二の制御情報が第二の指示情報を含み、前記第二の指示情報が、前記第一のＢＷＰと前記第二のＢＷＰが同時にアクティブ化できるか否かを示すことを含むことを特徴とする
請求項１０又は１１に記載の方法。
【請求項１５】
前記第二の制御情報は、ＤＣＩ、又はＲＲＣシグナリング、又はＳＩであることを特徴とする
請求項１４に記載の方法。
【請求項１６】
前記方法はさらに、
前記ネットワーク装置が、前記端末へ第一の構成情報を送信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられることを含むことを特徴とする
請求項１０−１５のいずれか一項に記載の方法。
【請求項１７】
前記方法はさらに、
前記ネットワーク装置が前記端末へ第三の制御情報を送信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられることを含むことを特徴とする
請求項１０−１５のいずれか一項に記載の方法。
【請求項１８】
リソース構成装置であって、
ネットワーク装置から送信された第一の制御情報を受信するように構成され、前記端末の現在アクティブ化されている帯域幅部分（ＢＷＰ）が第一のＢＷＰであり、前記第一の制御情報が第一の指示情報を含み、前記第一の指示情報が、アクティブ化しようとするＢＷＰが第二のＢＷＰであることを示すことに用いられる第一の受信ユニットと、
前記第一のＢＷＰと前記第二のＢＷＰが同時にアクティブ化できるか否かを確定するように構成される確定ユニットと、
前記第一のＢＷＰと前記第二のＢＷＰが同時にアクティブ化できる場合、前記第二のＢＷＰをアクティブ化すると同時に、前記第一のＢＷＰをアクティブ状態に維持し続けるように構成されるアクティブ化及び非アクティブ化ユニットとを備える、前記リソース構成装置。
【請求項１９】
前記アクティブ化及び非アクティブ化ユニットはさらに前記第一のＢＷＰと前記第二のＢＷＰが同時にアクティブ化できない場合、前記第二のＢＷＰをアクティブ化すると同時に、前記第一のＢＷＰを非アクティブ化するように構成されることを特徴とする
請求項１８に記載の装置。
【請求項２０】
前記確定ユニットは、前記第一のＢＷＰと前記第二のＢＷＰが所定のルールを満たしている場合、前記第一のＢＷＰと前記第二のＢＷＰが同時にアクティブ化できることを確定し、前記第一のＢＷＰと前記第二のＢＷＰが所定のルールを満たしていない場合、前記第一のＢＷＰと前記第二のＢＷＰが同時にアクティブ化できないことを確定するように構成されることを特徴とする
請求項１８又は１９に記載の装置。
【請求項２１】
前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含むことを特徴とする
請求項２０に記載の装置。
【請求項２２】
前記装置はさらに、
ネットワーク装置から送信された第二の制御情報を受信するように構成され、前記第二の制御情報が第二の指示情報を含み、前記第二の指示情報が、前記第一のＢＷＰと前記第二のＢＷＰが同時にアクティブ化できるか否かを示す第二の受信ユニットを備え、
前記確定ユニットは、前記第二の制御情報に基づき、前記第一のＢＷＰと前記第二のＢＷＰが同時にアクティブ化できるか否かを確定するように構成されることを特徴とする
請求項１８又は１９に記載の装置。
【請求項２３】
前記第二の制御情報は、ＤＣＩ、又はＲＲＣシグナリング、又はＳＩであることを特徴とする
請求項２２に記載の装置。
【請求項２４】
前記装置はさらに、
前記ネットワーク装置から送信された第一の構成情報を受信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の受信ユニットを備え、
前記アクティブ化及び非アクティブ化ユニットは、さらに前記第一の構成情報に基づき、前記第一のＢＷＰ及び／又は前記第二のＢＷＰを非アクティブ化するように構成されることを特徴とする
請求項１８−２３のいずれか一項に記載の装置。
【請求項２５】
前記装置はさらに、
前記ネットワーク装置から送信された第三の制御情報を受信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の受信ユニットを備え、
前記アクティブ化及び非アクティブ化ユニットはさらに前記第三の制御情報に基づき、前記第一のＢＷＰ及び／又は前記第二のＢＷＰを非アクティブ化するように構成されることを特徴とする
請求項１８−２３のいずれか一項に記載の装置。
【請求項２６】
前記アクティブ化及び非アクティブ化ユニットは、さらに前記第一のＢＷＰと前記第二のＢＷＰの両方が非アクティブ化される場合、デフォルトのＢＷＰをアクティブ化するように構成されることを特徴とする
請求項２４又は２５に記載の装置。
【請求項２７】
リソース構成装置であって、
端末へ第一の制御情報を送信するように構成され、前記端末の現在アクティブ化されているＢＷＰが第一のＢＷＰであり、前記第一の制御情報が第一の指示情報を含み、前記端末が前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続けるように、前記第一の指示情報が、アクティブ化しようとするＢＷＰが第二のＢＷＰであることを示す第一の送信ユニットを備える、前記リソース構成装置。
【請求項２８】
前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられることを特徴とする
請求項２７に記載の装置。
【請求項２９】
前記第一のＢＷＰと前記第二のＢＷＰが同時にアクティブ化できるか否かは、
前記第一のＢＷＰと前記第二のＢＷＰが所定のルールを満たしている場合、前記第一のＢＷＰと前記第二のＢＷＰが同時にアクティブ化できることと、
前記第一のＢＷＰと前記第二のＢＷＰが所定のルールを満たしていない場合、前記第一のＢＷＰと前記第二のＢＷＰが同時にアクティブ化できないこととを含むことを特徴とする
請求項２７又は２８に記載の装置。
【請求項３０】
前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含むことを特徴とする
請求項２９に記載の装置。
【請求項３１】
前記装置はさらに、
前記端末へ第二の制御情報を送信するように構成され、前記第二の制御情報が第二の指示情報を含み、前記第二の指示情報が、前記第一のＢＷＰと前記第二のＢＷＰが同時にアクティブ化できるか否かを示す第二の送信ユニットを備えることを特徴とする
請求項２７又は２８に記載の装置。
【請求項３２】
前記第二の制御情報は、ＤＣＩ、又はＲＲＣシグナリング、又はＳＩであることを特徴とする
請求項３１に記載の装置。
【請求項３３】
前記装置はさらに、
前記端末へ第一の構成情報を送信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の送信ユニットを備えることを特徴とする
請求項２７−３２のいずれか一項に記載の装置。
【請求項３４】
前記装置はさらに、
前記端末へ第三の制御情報を送信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の送信ユニットを備えることを特徴とする
請求項２７−３２のいずれか一項に記載の装置。
【請求項３５】
コンピュータ実行可能コマンドを記憶し、該コンピュータ実行可能コマンドがプロセッサに実行される時に請求項１−９のいずれか一項に記載の方法のステップ、又は請求項１０−１７のいずれか一項に記載の方法のステップを実現するコンピュータ記憶媒体。
【発明の詳細な説明】
【技術分野】
【０００１】
本発明は、無線通信技術分野に関し、特にリソース構成方法及び装置、コンピュータ記憶媒体に関する。
【背景技術】
【０００２】
長期進化型（ＬＴＥ：Ｌｏｎｇ  Ｔｅｒｍ  Ｅｖｏｌｕｔｉｏｎ）システムでは、端末の周波数領域リソースは、システム帯域幅全体から割り当てられている。第５世代（５Ｇ：５ｔｈＧｅｎｅｒａｔｉｏｎ）の新しい無線（ＮＲ：Ｎｅｗ  Ｒａｄｉｏ）システムでは、システム帯域幅が大幅に向上しているため、端末の伝送帯域幅はシステム帯域幅の一部のみを占有する可能性がある。
【０００３】
５Ｇ  ＮＲについての現在の研究では、システム帯域幅よりも狭い範囲での周波数領域リソースの割り当てを実現するために、帯域幅部分（ＢＷＰ：Ｂａｎｄ  Ｗｉｄｔｈ  Ｐａｒｔ）の概念を導入することが決定されている。基地局は、無線リソース制御（ＲＲＣ：Ｒａｄｉｏ  Ｒｅｓｏｕｒｃｅ  Ｃｏｎｔｒｏｌ）シグナリングによって複数のＢＷＰを構成し、その後、ダウンリンク制御情報（ＤＣＩ：Ｄｏｗｎｌｉｎｋ  Ｃｏｎｔｒｏｌ  Ｉｎｆｏｒｍａｔｉｏｎ）においてある一つのＢＷＰを動的にアクティブ化することができる。各ＢＷＰはそれぞれ１種類のヌメロロジーに基づくものであり、ここで、ヌメロロジーにサブ搬送波間隔、サイクリックプレフィックス（ＣＰ：Ｃｙｃｌｉｃ  Ｐｒｅｆｉｘ）が含まれる。現行の提案である場合、１つの端末に対して１つのＢＷＰのみをアクティブ化することができ、１つの新しいＢＷＰがアクティブ化されるとともに、元のＢＷＰが非アクティブ化される。
【０００４】
図１に示すように、ＢＷＰ１がアクティブ状態にある時に、ＢＷＰ２がアクティブ化される場合、ＢＷＰ１が非アクティブ化され、ＢＷＰ１も非アクティブ化される場合、デフォルトのＢＷＰに戻る。
【０００５】
従来の技術案は、複数のＢＷＰの同時のアクティブ化をサポートできないため、複数種類のヌメロロジーの同時使用をサポートすることができなく、複数のタイプのサービスが並行して伝送される時に異なるサービスに対してヌメロロジーを最適化することもできない。さらに、２種類のヌメロロジーの間で切り替えられる場合、２つのＢＷＰも切り替えられ、端末の無線周波数帯域幅も切り替わり、無線周波数帯域幅の切り替わりによって、端末は、一定時間でデータを送受信することができなく、それによってスペクトルリソースが浪費されてしまう。
【発明の概要】
【発明が解決しようとする課題】
【０００６】
上記技術的課題を解決するために、本発明の実施形態はリソース構成方法及び装置、コンピュータ記憶媒体を提供する。
【課題を解決するための手段】
【０００７】
本発明の実施形態によるリソース構成方法は、
端末がネットワーク装置から送信された第一の制御情報を受信し、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられることと、
前記端末が、前記第一のＢＷＰと前記第二のＢＷＰが同時にアクティブ化できるか否かを確定し、前記第一のＢＷＰと前記第二のＢＷＰが同時にアクティブ化できる場合、前記端末が前記第二のＢＷＰをアクティブ化すると同時に、前記第一のＢＷＰをアクティブ状態に維持し続けることとを含む。
【０００８】
本発明の実施形態では、前記方法はさらに、
前記第一のＢＷＰと前記第二のＢＷＰが同時にアクティブ化できない場合、前記端末が前記第二のＢＷＰをアクティブ化すると同時に、前記第一のＢＷＰを非アクティブ化することを含む。
【０００９】
本発明の実施形態では、前記端末が前記第一のＢＷＰと前記第二のＢＷＰが同時にアクティブ化できるか否かを確定することは、
前記第一のＢＷＰと前記第二のＢＷＰが所定のルールを満たしている場合、前記端末が、前記第一のＢＷＰと前記第二のＢＷＰが同時にアクティブ化できることを確定することと、
前記第一のＢＷＰと前記第二のＢＷＰが所定のルールを満たしていない場合、前記端末が、前記第一のＢＷＰと前記第二のＢＷＰが同時にアクティブ化できないことを確定することとを含む。
【００１０】
本発明の実施形態では、前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲にあること、又は、
前記端末の無線周波数帯域幅能力が前記第一のＢＷＰと前記第二のＢＷＰの周波数領域範囲を同時にカバーすることができることを含む。
【００１１】
本発明の実施形態では、前記端末が、前記第一のＢＷＰと前記第二のＢＷＰが同時にアクティブ化できるか否かを確定することは、
前記端末がネットワーク装置から送信された第二の制御情報を受信し、前記第二の制御情報が第二の指示情報を含み、前記第二の指示情報が、前記第一のＢＷＰと前記第二のＢＷＰが同時にアクティブ化できるか否かを示すことを含む。
【００１２】
本発明の実施形態では、前記第二の制御情報は、ＤＣＩ、又は無線リソース制御（ＲＲＣ：Ｒａｄｉｏ  Ｒｅｓｏｕｒｃｅ  Ｃｏｎｔｒｏｌ）シグナリング、又はシステム情報（ＳＩ：Ｓｙｓｔｅｍ  Ｉｎｆｏｒｍａｔｉｏｎ）である。
【００１３】
本発明の実施形態では、前記方法はさらに、
前記端末が前記ネットワーク装置から送信された第一の構成情報を受信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられることと、
前記端末が前記第一の構成情報に基づき、前記第一のＢＷＰ及び／又は前記第二のＢＷＰを非アクティブ化することとを含む。
【００１４】
本発明の実施形態では、前記方法はさらに、
前記端末が前記ネットワーク装置から送信された第三の制御情報を受信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられることと、
前記端末が前記第三の制御情報に基づき、前記第一のＢＷＰ及び／又は前記第二のＢＷＰを非アクティブ化することとを含む。
【００１５】
本発明の実施形態では、前記方法はさらに、
前記第一のＢＷＰと前記第二のＢＷＰの両方が非アクティブ化される場合、デフォルトのＢＷＰをアクティブ化することを含む。
【００１６】
本発明の実施形態によるリソース構成方法は、
ネットワーク装置が端末へ第一の制御情報を送信し、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられ、これにより、前記端末が、前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続けることを含む。
【００１７】
本発明の実施形態では、前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられる。
【００１８】
本発明の実施形態では、前記第一のＢＷＰと前記第二のＢＷＰが同時にアクティブ化できるか否かは、
前記第一のＢＷＰと前記第二のＢＷＰが所定のルールを満たしている場合、前記第一のＢＷＰと前記第二のＢＷＰが同時にアクティブ化できることと、
前記第一のＢＷＰと前記第二のＢＷＰが所定のルールを満たしていない場合、前記第一のＢＷＰと前記第二のＢＷＰが同時にアクティブ化できないこととを含む。
【００１９】
本発明の実施形態では、前記第一のＢＷＰと前記第二のＢＷＰが所定のルールを満たしていることは、
前記第一のＢＷＰと前記第二のＢＷＰの中心周波数点及び帯域幅の大きさが一致すること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含む。
【００２０】
本発明の実施形態では、前記方法はさらに、
前記ネットワーク装置が前記端末へ第二の制御情報を送信し、前記第二の制御情報が第二の指示情報を含み、前記第二の指示情報が、前記第一のＢＷＰと前記第二のＢＷＰが同時にアクティブ化できるか否かを示すことを含む。
【００２１】
本発明の実施形態では、前記第二の制御情報はＤＣＩ、又はＲＲＣシグナリング、又はＳＩである。
【００２２】
本発明の実施形態では、前記方法はさらに、
前記ネットワーク装置が前記端末装置へ第一の構成情報を送信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記第二のＢＷＰを非アクティブ化するために前記端末よって用いられることを含む。
【００２３】
本発明の実施形態では、前記方法はさらに、
前記ネットワーク装置が前記端末装置へ第三の制御情報を送信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられることを含む。
【００２４】
本発明の実施形態によるリソース構成装置は、
ネットワーク装置から送信された第一の制御情報を受信するように構成され、前記端末の現在アクティブ化されている帯域幅部分（ＢＷＰ）が第一のＢＷＰであり、前記第一の制御情報が第一の指示情報を含み、前記第一の指示情報が、アクティブ化しようとするＢＷＰが第二のＢＷＰであることを示すことに用いられる第一の受信ユニットと、
前記第一のＢＷＰと前記第二のＢＷＰが同時にアクティブ化できるか否かを確定するように構成される確定ユニットと、
前記第一のＢＷＰと前記第二のＢＷＰが同時にアクティブ化できる場合、前記第二のＢＷＰをアクティブ化すると同時に、前記第一のＢＷＰをアクティブ状態に維持し続けるように構成されるアクティブ化及び非アクティブ化ユニットとを備える。
【００２５】
本発明の実施形態では、前記アクティブ化及び非アクティブ化ユニットはさらに、前記第一のＢＷＰと前記第二のＢＷＰが同時にアクティブ化できない場合、前記第二のＢＷＰをアクティブ化すると同時に、前記第一のＢＷＰを非アクティブ化するように構成される。
【００２６】
本発明の実施形態では、前記確定ユニットは、前記第一のＢＷＰと前記第二のＢＷＰが所定のルールを満たしている場合、前記第一のＢＷＰと前記第二のＢＷＰが同時にアクティブ化できることを確定し、前記第一のＢＷＰと前記第二のＢＷＰが所定のルールを満たしていない場合、前記第一のＢＷＰと前記第二のＢＷＰが同時にアクティブ化できないことを確定するように構成される。
【００２７】
本発明の実施形態では、前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含む。
【００２８】
本発明の実施形態では、前記装置はさらに、
ネットワーク装置から送信された第二の制御情報を受信するように構成され、前記第二の制御情報が第二の指示情報を含み、前記第二の指示情報が、前記第一のＢＷＰと前記第二のＢＷＰが同時にアクティブ化できるか否かを示す第二の受信ユニットを備え、
前記確定ユニットは、前記第二の制御情報に基づき、前記第一のＢＷＰと前記第二のＢＷＰが同時にアクティブ化できるか否かを確定するように構成される。
【００２９】
本発明の実施形態では、前記第二の制御情報はＤＣＩ、又はシグナリング、又はＳＩである。
【００３０】
本発明の実施形態では、前記装置はさらに、
前記ネットワーク装置から送信された第一の構成情報を受信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の受信ユニットを備え、
前記アクティブ化及び非アクティブ化ユニットはさらに前記第一の構成情報に基づき、前記第一のＢＷＰ及び／又は前記第二のＢＷＰを非アクティブ化するように構成される。
【００３１】
本発明の実施形態では、前記装置はさらに、
前記ネットワーク装置から送信された第三の制御情報を受信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の受信ユニットを備え、
前記アクティブ化及び非アクティブ化ユニットはさらに前記第三の制御情報に基づき、前記第一のＢＷＰ及び／又は前記第二のＢＷＰを非アクティブ化するように構成される。
【００３２】
本発明の実施形態では、前記アクティブ化及び非アクティブ化ユニットは、さらに前記第一のＢＷＰと前記第二のＢＷＰの両方が非アクティブ化される場合、デフォルトのＢＷＰをアクティブ化するように構成される。
【００３３】
本発明の実施形態によるリソース構成装置は、
端末へ第一の制御情報を送信するように構成され、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられ、これにより、前記端末が、前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続ける第一の送信ユニットを備える。
【００３４】
本発明の実施形態では、前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられる。
【００３５】
本発明の実施形態では、前記第一のＢＷＰと前記第二のＢＷＰが同時にアクティブ化できるか否かは、
前記第一のＢＷＰと前記第二のＢＷＰが所定のルールを満たしている場合、前記第一のＢＷＰと前記第二のＢＷＰが同時にアクティブ化できることと、
前記第一のＢＷＰと前記第二のＢＷＰが所定のルールを満たしていない場合、前記第一のＢＷＰと前記第二のＢＷＰが同時にアクティブ化できないこととを含む。
【００３６】
本発明の実施形態では、前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含む。
【００３７】
本発明の実施形態では、前記装置はさらに、
前記端末へ第二の制御情報を送信するように構成され、前記第二の制御情報が第二の指示情報を含み、前記第二の指示情報が、前記第一のＢＷＰと前記第二のＢＷＰが同時にアクティブ化できるか否かを示す第二の送信ユニットを備える。
【００３８】
本発明の実施形態では、前記第二の制御情報はＤＣＩ、又はＲＲＣシグナリング、又はＳＩである。
【００３９】
本発明の実施形態では、前記装置はさらに、
前記端末装置へ第一の構成情報を送信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の送信ユニットを備える。
【００４０】
本発明の実施形態では、前記装置はさらに、
前記端末装置へ第三の制御情報を送信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の送信ユニットを備える。
【００４１】
本発明の実施形態によるコンピュータ記憶媒体は、コンピュータ実行可能コマンドを記憶し、該コンピュータ実行可能コマンドがプロセッサに実行される時に上記リソース構成方法を実現する。
【発明の効果】
【００４２】
本発明の実施形態の技術案では、端末は、ネットワーク装置から送信された第一の制御情報を受信し、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられ、前記端末は、前記第一のＢＷＰと前記第二のＢＷＰが同時にアクティブ化できるか否かを確定し、前記第一のＢＷＰと前記第二のＢＷＰが同時にアクティブ化できる場合、前記端末は、前記第二のＢＷＰをアクティブ化すると同時に、前記第一のＢＷＰをアクティブ状態に維持し続ける。本発明の実施形態の技術案によれば、複数のＢＷＰを同時にアクティブ化することができる方式が導入され、即ち、一定の条件で、ＢＷＰを非アクティブ化すると共に、他のＢＷＰを用いて信号を伝送し、これにより、複数のタイプのサービスの同時伝送を柔軟にサポートすることができ、システムのスケジューリングの柔軟性とスペクトルの利用率を向上させる。
【図面の簡単な説明】
【００４３】
【図１】１つＢＷＰしかアクティブ状態にすることができないことを示す図である。
【図２】本発明の実施形態のリソース構成方法のフローチャート１である。
【図３】本発明の実施形態のリソース構成方法のフローチャート２である。
【図４】本発明の実施形態のＢＷＰ１とＢＷＰ２の中心周波数点及び帯域幅の大きさが同じであり、ＢＷＰ２がＢＷＰ１よりも早く非アクティブ化されることを示す図である。
【図５】本発明の実施形態のＢＷＰ１とＢＷＰ２の中心周波数点及び帯域幅の大きさが同じであり、ＢＷＰ１がＢＷＰ２よりも早く非アクティブ化されることを示す図である。
【図６】本発明の実施形態のＢＷＰ１とＢＷＰ２の中心周波数点が同じであり、且つＢＷＰ２の帯域幅がＢＷＰ１よりも小さく、ＢＷＰ２がＢＷＰ１よりも早く非アクティブ化されることを示す図である。
【図７】本発明の実施形態のＢＷＰ１とＢＷＰ２の中心周波数点が一致するが、ＢＷＰ２の帯域幅がＢＷＰ１よりも小さく、ＢＷＰ１がＢＷＰ２よりも早く非アクティブ化されることを示す図である。
【図８】本発明の実施形態のＢＷＰ１とＢＷＰ２の中心周波数点が同じではないが、ＢＷＰ２の周波数領域範囲がＢＷＰ１の周波数領域範囲にあり、ＢＷＰ２がＢＷＰ１よりも早く非アクティブ化されることを示す図である。
【図９】本発明の実施形態のＢＷＰ１とＢＷＰ２の中心周波数点が同じではないが、ＢＷＰ２の周波数領域範囲がＢＷＰ１の周波数領域範囲にあり、ＢＷＰ１がＢＷＰ２よりも早く非アクティブ化されることを示す図である。
【図１０】本発明の実施形態のリソース構成装置の構造構成図１である。
【図１１】本発明の実施形態のリソース構成装置の構造構成図２である。
【図１２】本発明の実施形態のコンピュータ装置の構造構成図である。
【発明を実施するための形態】
【００４４】
ここで説明される図面は本発明をさらに理解させるためのものであり、本出願の一部を構成し、本発明の概略的な実施形態及びその説明は本発明を解釈するためのものであり、本発明に対する不適切な限定を構成しない。
【００４５】
本発明の実施形態の特徴と技術内容をより詳しく理解することができるために、以下に図面と組み合わせて本発明の実施形態の実現を詳しく説明し、添付の図面が例示のみを目的としており、本発明の実施形態を限定することに用いられない。
【００４６】
図２は本発明の実施形態のリソース構成方法のフローチャート１である。図２に示すように、前記リソース構成方法は、以下のステップを含む。
【００４７】
ステップ２０１において、端末はネットワーク装置から送信された第一の制御情報を受信し、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられる。
【００４８】
本発明の実施形態では、前記端末は、携帯電話、タブレットコンピュータ、ラップトップコンピュータ、デスクトップコンピュータなどのネットワークと通信できるいずれかの装置であってもよい。
【００４９】
本発明の実施形態では、前記ネットワーク装置は、基地局、例えば５ＧシステムのｇＮＢであってもよい。
【００５０】
本発明の実施形態では、前記第一の制御情報は、ＤＣＩ又はメディアアクセス制御エレメント（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【００５１】
ステップ２０２において、前記端末は、前記第一のＢＷＰと前記第二のＢＷＰが同時にアクティブ化できるか否かを確定し、前記第一のＢＷＰと前記第二のＢＷＰが同時にアクティブ化できる場合、前記端末は、前記第二のＢＷＰをアクティブ化すると同時に、前記第一のＢＷＰをアクティブ状態に維持し続ける。
【００５２】
例えば、端末の現在アクティブ化されているＢＷＰがＢＷＰ１であり、端末は、ネットワーク装置から第一の制御情報を受信し、前記第一の制御情報がＢＷＰ２をアクティブ化するための指示情報を含み、ＢＷＰ１とＢＷＰ２が同時にアクティブ化できる場合、ＢＷＰ２をアクティブ化すると同時にＢＷＰ１をアクティブ状態に維持し続ける。
【００５３】
本発明の実施形態では、前記第一のＢＷＰと前記第二のＢＷＰが同時にアクティブ化できない場合、前記端末は前記第二のＢＷＰをアクティブ化すると同時に、前記第一のＢＷＰを非アクティブ化する。
【００５４】
本発明の実施形態では、前記端末が前記第一のＢＷＰと前記第二のＢＷＰが同時にアクティブ化できるか否かを確定することは、次の方式により実現されてもよい。
【００５５】
方式１において、前記第一のＢＷＰと前記第二のＢＷＰが所定のルールを満たしている場合、前記端末は、前記第一のＢＷＰと前記第二のＢＷＰが同時にアクティブ化できることを確定し、前記第一のＢＷＰと前記第二のＢＷＰが所定のルールを満たしていない場合、前記端末は、前記第一のＢＷＰと前記第二のＢＷＰが同時にアクティブ化できないことを確定する。
【００５６】
本発明の実施形態では、前記第一のＢＷＰと前記第二のＢＷＰが所定のルールを満たしていることは、
１）前記第一のＢＷＰと前記第二のＢＷＰの中心周波数点及び帯域幅の大きさが同じであること、又は、
２）前記第二のＢＷＰの周波数領域範囲が前記第一のＢＷＰの周波数領域範囲内にあること、又は、
３）前記端末の無線周波数帯域幅能力が前記第一のＢＷＰと前記第二のＢＷＰの周波数領域範囲を同時にカバーすることができることのうちの少なくとも１つを含む。
【００５７】
方式２において、前記端末は、ネットワーク装置から送信された第二の制御情報を受信し、前記第二の制御情報が第二の指示情報を含み、前記第二の指示情報が前記第一のＢＷＰと前記第二のＢＷＰが同時にアクティブ化できるか否かを示す。
【００５８】
一実施形態では、前記第二の制御情報は、ＤＣＩ、又はＲＲＣシグナリング、又はＳＩである。
【００５９】
本発明の実施形態では、前記端末は、次の方式により、アクティブ状態にあるＢＷＰを非アクティブ化することができる。
【００６０】
方式１において、前記端末は、前記ネットワーク装置から送信された第一の構成情報を受信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられ、前記端末は、前記第一の構成情報に基づき、前記第一のＢＷＰ及び／又は前記第二のＢＷＰを非アクティブ化する。
【００６１】
例えば、ＢＷＰ１に対応するタイマー（ｔｉｍｅｒ）１とＢＷＰ２に対応するタイマー（ｔｉｍｅｒ）２のいずれかが期限切れになった場合、対応するＢＷＰは非アクティブ化される。
【００６２】
方式２において、前記端末は、前記ネットワーク装置から送信された第三の制御情報を受信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられ、前記端末は、前記第三の制御情報に基づき、前記第一のＢＷＰ及び／又は前記第二のＢＷＰを非アクティブ化する。
【００６３】
例えば、端末は、第三の制御情報を受信し、前記第三の制御情報がＢＷＰ１／又はＢＷＰ２を非アクティブ化するための指示情報を含み、対応するＢＷＰが非アクティブ化される。
【００６４】
一つの実施形態では、前記第一のＢＷＰと前記第二のＢＷＰの両方が非アクティブ化される場合、デフォルトのＢＷＰをアクティブ化する。
【００６５】
例えば、ＢＷＰ１とＢＷＰ２の両方が非アクティブ化された場合、アクティブ化されるＢＷＰがデフォルトのＢＷＰになる。
【００６６】
図３は本発明の実施形態のリソース構成方法のフローチャート２である。図３に示すように、前記リソース構成方法は、以下のステップを含む。
【００６７】
ステップ３０１において、ネットワーク装置は、端末へ第一の制御情報を送信し、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられ、これにより、前記端末は、前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続ける。
【００６８】
本発明の実施形態では、前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられる。
【００６９】
本発明の実施形態では、前記第一のＢＷＰと前記第二のＢＷＰが同時にアクティブ化できるか否かは、次の方式により確定されてもよい。
【００７０】
方式１において、前記第一のＢＷＰと前記第二のＢＷＰが所定のルールを満たしている場合、前記第一のＢＷＰと前記第二のＢＷＰは同時にアクティブ化されてもよく、前記第一のＢＷＰと前記第二のＢＷＰが所定のルールを満たしていない場合、前記第一のＢＷＰと前記第二のＢＷＰは同時にアクティブ化できない。
【００７１】
一つの実施形態では、前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含む。
【００７２】
方式２において、前記ネットワーク装置は、前記端末へ第二の制御情報を送信し、前記第二の制御情報が第二の指示情報を含み、前記第二の指示情報が、前記第一のＢＷＰと前記第二のＢＷＰが同時にアクティブ化できるか否かを示す。
【００７３】
一実施形態では、前記第二の制御情報は、ＤＣＩ、又はＲＲＣシグナリング、又はＳＩである。
【００７４】
一実施形態では、前記方法はさらに、前記ネットワーク装置が前記端末装置へ第一の構成情報を送信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられることを含む。
【００７５】
一実施形態では、前記方法はさらに、前記ネットワーク装置が前記端末装置へ第三の制御情報を送信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられることを含む。
【００７６】
以下に具体的な応用例を組み合わせながら本発明の実施形態の技術案をさらに説明する。
【００７７】
例１において、ＢＷＰ１とＢＷＰ２の中心周波数点及び帯域幅の大きさが同じであり、ＢＷＰ２がＢＷＰ１よりも早く非アクティブ化される。
【００７８】
図４に示すように、従来の技術案とは異なり、ＢＷＰ１がアクティブ状態にある時に、ＢＷＰ２がアクティブ化される場合、ＢＷＰ２とＢＷＰ１の中心周波数点及び帯域幅の大きさが同じであるため、端末の無線周波数帯域幅と中心周波数点を調整しなくてもよいため、ＢＷＰ１は非アクティブ化されることがなく、ＢＷＰ１とＢＷＰ２は同時にアクティブ状態にある。ＢＷＰ２が非アクティブ化された（例えばＢＷＰ２に対するタイマー（ｔｉｍｅｒ）が期限切れになった）後に、ＢＷＰ１だけがアクティブにある状態に戻る。ＢＷＰ１も非アクティブ化された（例えばＢＷＰ１に対するタイマー（ｔｉｍｅｒ）が期限切れになった）場合、デフォルトのＢＷＰに戻る。
【００７９】
新しい技術案によれば、端末の無線周波数帯域幅と中心周波数点を調整せずに２種類のヌメロロジーをサポートすることができ、これにより、複数のタイプのサービスの同時伝送を柔軟にサポートし、システムのスケジューリングの柔軟性とスペクトルの利用率を向上させる。
【００８０】
例２において、ＢＷＰ１とＢＷＰ２の中心周波数点及び帯域幅の大きさが同じであり、ＢＷＰ１がＢＷＰ２よりも早く非アクティブ化される。
【００８１】
図５に示すように、従来の技術案とは異なり、ＢＷＰ１がアクティブ状態にある時に、ＢＷＰ２がアクティブ化されると、ＢＷＰ２とＢＷＰ１の中心周波数点及び帯域幅の大きさが同じであるため、端末の無線周波数帯域幅と中心周波数点は調整されなくてもよく、したがって、ＢＷＰ１は非アクティブ化されることがなく、ＢＷＰ１とＢＷＰ２は同時にアクティブ状態にある。実施形態１とは異なり、本実施形態では、ＢＷＰ１がＢＷＰ２よりも早く非アクティブ化された（例えばＢＷＰ１に対するタイマー（ｔｉｍｅｒ）が期限切れになった）場合、ＢＷＰ２だけがアクティブになる状態に入る。ＢＷＰ２も非アクティブ化された（例えばＢＷＰ２に対するタイマー（ｔｉｍｅｒ）が期限切れになった）場合、デフォルトのＢＷＰに戻る。
【００８２】
新しい技術案によれば、端末の無線周波数帯域幅と中心周波数点を調整せずに２種類のヌメロロジーをサポートすることができ、これにより、複数のタイプのサービスの同時伝送を柔軟にサポートし、システムのスケジューリングの柔軟性とスペクトルの利用率を向上させる。
【００８３】
例３において、ＢＷＰ１とＢＷＰ２の中心周波数点が同じであり且つＢＷＰ２の帯域幅がＢＷＰ１よりも小さく、ＢＷＰ２がＢＷＰ１よりも早くアクティブ化される。
【００８４】
図６に示すように、従来の技術案とは異なり、ＢＷＰ１がアクティブ状態にある時に、ＢＷＰ２がアクティブ化されると、ＢＷＰ２とＢＷＰ１の中心周波数点が同じであり且つＢＷＰ２の帯域幅がＢＷＰ１よりも小さく、端末の無線周波数帯域幅と中心周波数点が依然として調整されなくてもよく、したがって、ＢＷＰ１は非アクティブ化されることがなく、ＢＷＰ１とＢＷＰ２は同時にアクティブ状態にある。ＢＷＰ２が非アクティブ化された（例えばＢＷＰ２に対するタイマー（ｔｉｍｅｒ）が期限切れになった）場合、ＢＷＰ１だけがアクティブにある状態に戻る。ＢＷＰ１も非アクティブ化された（例えばＢＷＰ１に対するタイマー（ｔｉｍｅｒ）が期限切れになった）場合、デフォルトのＢＷＰに戻る。
【００８５】
新しい技術案によれば、端末の無線周波数帯域幅と中心周波数点を調整せずに２種類のヌメロロジー及び／又は２種類の帯域幅をサポートすることができ、これにより、複数のタイプのサービスの同時伝送を柔軟にサポートし、システムのスケジューリングの柔軟性とスペクトルの利用率を向上させる。
【００８６】
例４において、ＢＷＰ１とＢＷＰ２の中心周波数点が一致するが、ＢＷＰ２の帯域幅がＢＷＰ１よりも小さく、ＢＷＰ１がＢＷＰ２よりも早くアクティブ化される。
【００８７】
図７に示すように、従来の技術案とは異なり、ＢＷＰ１がアクティブ状態にある時に、ＢＷＰ２がアクティブ化されると、ＢＷＰ２とＢＷＰ１の中心周波数点が同じであり且つＢＷＰ２の帯域幅がＢＷＰ１よりも小さく、端末の無線周波数帯域幅と中心周波数点が依然として調整されなくてもよく、したがって、ＢＷＰ１は非アクティブ化されることがなく、ＢＷＰ１とＢＷＰ２は同時にアクティブ状態にある。実施形態３とは異なり、本実施形態では、ＢＷＰ１がＢＷＰ２よりも早く非アクティブ化された（例えばＢＷＰ１に対するタイマー（ｔｉｍｅｒ）が期限切れになった）場合、ＢＷＰ２だけがアクティブになる状態に入る。ＢＷＰ２も非アクティブ化された（例えばＢＷＰ２に対するタイマー（ｔｉｍｅｒ）が期限切れになった）場合、デフォルトのＢＷＰに戻る。
【００８８】
新しい技術案によれば、端末の無線周波数帯域幅と中心周波数点を調整せずに２種類のヌメロロジー及び／又は２種類の帯域幅をサポートすることができ、これにより、複数のタイプのサービスの同時伝送を柔軟にサポートし、システムのスケジューリングの柔軟性とスペクトルの利用率を向上させる。
【００８９】
例５において、ＢＷＰ１とＢＷＰ２の中心周波数点が同じではないが、ＢＷＰ２の周波数領域範囲がＢＷＰ１の周波数領域範囲にあり、ＢＷＰ２がＢＷＰ１よりも早く非アクティブ化される。
【００９０】
図８に示すように、従来の技術案とは異なり、ＢＷＰ１がアクティブ状態にある時に、ＢＷＰ２がアクティブ化されると、ＢＷＰ２とＢＷＰ１の中心周波数点が同じではないが、ＢＷＰ２の周波数領域範囲がＢＷＰ１の周波数領域範囲にあり、端末の無線周波数帯域幅と中心周波数点が依然として調整されなくてもよく、したがって、ＢＷＰ１は非アクティブ化されることがなく、ＢＷＰ１とＢＷＰ２は同時にアクティブ状態にある。ＢＷＰ２が非アクティブ化された（例えばＢＷＰ２に対するタイマー（ｔｉｍｅｒ）が期限切れになった）場合、ＢＷＰ１だけがアクティブにある状態に戻る。ＢＷＰ１も非アクティブ化された（例えばＢＷＰ１に対するタイマー（ｔｉｍｅｒ）が期限切れになった）場合、デフォルトのＢＷＰに戻る。
【００９１】
新しい技術案によれば、端末の無線周波数帯域幅と中心周波数点を調整せずに２種類のヌメロロジー及び／又は２種類の帯域幅をサポートすることができ、これにより、複数のタイプのサービスの同時伝送を柔軟にサポートし、システムのスケジューリングの柔軟性とスペクトルの利用率を向上させる。
【００９２】
例６において、ＢＷＰ１とＢＷＰ２の中心周波数点が同じではないが、ＢＷＰ２の周波数領域範囲がＢＷＰ１の周波数領域範囲にあり、ＢＷＰ１がＢＷＰ２よりも早く非アクティブ化される。
【００９３】
図９に示すように、従来の技術案とは異なり、ＢＷＰ１がアクティブ状態にある時に、ＢＷＰ２がアクティブ化されると、ＢＷＰ２とＢＷＰ１の中心周波数点が同じではないが、ＢＷＰ２の周波数領域範囲がＢＷＰ１の周波数領域範囲にあり、端末の無線周波数帯域幅と中心周波数点が依然として調整されなくてもよく、したがって、ＢＷＰ１は非アクティブ化されることがなく、ＢＷＰ１とＢＷＰ２は同時にアクティブ状態にある。実施形態３とは異なり、本実施形態では、ＢＷＰ１がＢＷＰ２よりも早く非アクティブ化された（例えばＢＷＰ１に対するタイマー（ｔｉｍｅｒ）が期限切れになった）場合、ＢＷＰ２だけがアクティブになる状態（例えばＢＷＰ２に対するタイマー（ｔｉｍｅｒ）が期限切れになった状態）に入る。ＢＷＰ２も非アクティブ化された場合、デフォルトのＢＷＰに戻る。
【００９４】
新しい技術案によれば、端末の無線周波数帯域幅と中心周波数点を調整せずに２種類のヌメロロジー及び／又は２種類の帯域幅をサポートすることができ、これにより、複数のタイプのサービスの同時伝送を柔軟にサポートし、システムのスケジューリングの柔軟性とスペクトルの利用率を向上させる。
【００９５】
図１０は本発明の実施形態のリソース構成装置の構造構成図１である。図１０に示すように、前記リソース構成装置は、
ネットワーク装置から送信された第一の制御情報を受信するように構成され、前記端末の現在アクティブ化されている帯域幅部分（ＢＷＰ）が第一のＢＷＰであり、前記第一の制御情報が第一の指示情報を含み、前記第一の指示情報が、アクティブ化しようとするＢＷＰが第二のＢＷＰであることを示すことに用いられる第一の受信ユニット１００１と、
前記第一のＢＷＰと前記第二のＢＷＰが同時にアクティブ化できるか否かを確定するように構成される確定ユニット１００２と、
前記第一のＢＷＰと前記第二のＢＷＰが同時にアクティブ化できる場合、前記第二のＢＷＰをアクティブ化すると同時に、前記第一のＢＷＰをアクティブ状態に維持し続けるように構成されるアクティブ化及び非アクティブ化ユニット１００３とを備える。
【００９６】
一実施形態では、前記アクティブ化及び非アクティブ化ユニット１００３は、さらに前記第一のＢＷＰと前記第二のＢＷＰが同時にアクティブ化できない場合、前記第二のＢＷＰをアクティブ化すると同時に、前記第一のＢＷＰを非アクティブ化するように構成される。
【００９７】
一実施形態では、前記確定ユニット１００２は、前記第一のＢＷＰと前記第二のＢＷＰが所定のルールを満たしている場合、前記第一のＢＷＰと前記第二のＢＷＰが同時にアクティブ化できることを確定し、前記第一のＢＷＰと前記第二のＢＷＰが所定のルールを満たしていないと、前記第一のＢＷＰと前記第二のＢＷＰが同時にアクティブ化できないことを確定するように構成される。
【００９８】
一つの実施形態では、前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含む。
【００９９】
一実施形態では、前記装置はさらに、
ネットワーク装置から送信された第二の制御情報を受信するように構成され、前記第二の制御情報が第二の指示情報を含み、前記第二の指示情報が、前記第一のＢＷＰと前記第二のＢＷＰが同時にアクティブ化できるか否かを示す第二の受信ユニット１００４を備え、
前記確定ユニット１００２は、前記第二の制御情報に基づき、前記第一のＢＷＰと前記第二のＢＷＰが同時にアクティブ化できるか否かを確定するように構成される。
【０１００】
一実施形態では、前記第二の制御情報は、ＤＣＩ、又はシグナリング、又はＳＩである。
【０１０１】
一実施形態では、前記装置はさらに、
前記ネットワーク装置から送信された第一の構成情報を受信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の受信ユニット１００５を備え、
前記アクティブ化及び非アクティブ化ユニット１００３はさらに前記第一の構成情報に基づき、前記第一のＢＷＰ及び／又は前記第二のＢＷＰを非アクティブ化するように構成される。
【０１０２】
一実施形態では、前記装置はさらに、
前記ネットワーク装置から送信された第三の制御情報を受信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の受信ユニット１００６を備え、
前記アクティブ化及び非アクティブ化ユニット１００３はさらに前記第三の制御情報に基づき、前記第一のＢＷＰ及び／又は前記第二のＢＷＰを非アクティブ化するように構成される。
【０１０３】
一実施形態では、前記アクティブ化及び非アクティブ化ユニット１００３は、さらに前記第一のＢＷＰと前記第二のＢＷＰの両方が非アクティブ化される場合、デフォルトのＢＷＰをアクティブ化するように構成される。
【０１０４】
当業者は、図１０に示すリソース構成装置における各ユニットの実現機能が前記リソース構成方法の関連説明を参照して理解されてもよいことを理解するべきである。図１０に示すリソース構成装置における各ユニットの機能はプロセッサで実行されるプログラムによって実現されてもよいし、具体的な論理回路によって実現されてもよい。
【０１０５】
図１１は本発明の実施形態のリソース構成装置の構造構成図２である。図１１に示すように、前記リソース構成装置は、
端末へ第一の制御情報を送信するように構成され、前記端末の現在アクティブ化されているＢＷＰが第一のＢＷＰであり、前記第一の制御情報が第一の指示情報を含み、前記第一の指示情報が、アクティブ化しようとするＢＷＰが第二のＢＷＰであることを示すことに用いられ、これにより、前記端末が、前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続ける第一の送信ユニット１１０１を備える。
【０１０６】
一実施形態では、前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられる。
【０１０７】
一実施形態では、前記第一のＢＷＰと前記第二のＢＷＰが同時にアクティブ化できるか否かは、
前記第一のＢＷＰと前記第二のＢＷＰが所定のルールを満たしている場合、前記第一のＢＷＰと前記第二のＢＷＰが同時にアクティブ化できることと、
前記第一のＢＷＰと前記第二のＢＷＰが所定のルールを満たしていない場合、前記第一のＢＷＰと前記第二のＢＷＰが同時にアクティブ化できないこととを含む。
【０１０８】
一つの実施形態では、前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含む。
【０１０９】
一実施形態では、前記装置はさらに、
前記端末へ第二の制御情報を送信するように構成され、前記第二の制御情報が第二の指示情報を含み、前記第二の指示情報が、前記第一のＢＷＰと前記第二のＢＷＰが同時にアクティブ化できるか否かを示す第二の送信ユニット１１０２を備える。
【０１１０】
一実施形態では、前記第二の制御情報は、ＤＣＩ、又はＲＲＣシグナリング、又はＳＩである。
【０１１１】
一実施形態では、前記装置はさらに、
前記端末装置へ第一の構成情報を送信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の送信ユニット１１０３を備える。
【０１１２】
一実施形態では、前記装置はさらに、
前記端末装置へ第三の制御情報を送信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の送信ユニット１１０４を備える。
【０１１３】
当業者は、図１１に示すリソース構成装置における各ユニットの実現機能が前記リソース構成方法の関連説明を参照して理解されてもよいことを理解するべきである。図１１に示すリソース構成装置における各ユニットの機能はプロセッサで実行されるプログラムによって実現されてもよいし、具体的な論理回路によって実現されてもよい。
【０１１４】
本発明の実施形態における上記リソース構成装置は、ソフトウェア機能モジュールの形態で実現され且つ独立した製品として販売又は使用される時に、一つのコンピュータ読み取り可能記憶媒体に記憶されてもよい。このような理解に基づき、本発明の実施形態における技術案は本質的に又は従来技術に寄与する部分がソフトウェア製品の形で具現化されてもよく、該コンピュータソフトウェア製品が一つの記憶媒体に記憶され、コンピュータ機器（パーソナルコンピュータ、サーバ、又はネットワークデバイス等であってもよい）に本発明の様々な実施形態に記載される方法の全て又は一部のステップを実行させるためのいくつかの命令を含む。前記憶媒体は、ＵＳＢフラッシュディスク、モバイルハードディスク、読み取り専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このようにして、本発明の実施形態は、いかなる特定のハードウェアとソフトウェアの組み合わせに限定されない。
【０１１５】
それに対応して、本発明の実施形態によるコンピュータ記憶媒体は、コンピュータ実行可能コマンドを記憶し、該コンピュータ実行可能コマンドがプロセッサに実行される時に本発明の実施形態の上記リソース構成方法を実現する。
【０１１６】
図１２は本発明の実施形態のコンピュータ装置の構造構成図である。該コンピュータ装置は端末であってもよいし、ネットワーク装置であってもよい。図１２に示すように、コンピュータ装置１００は一つ又は複数（図で一つだけ示される）のプロセッサ１００２（プロセッサ１００２がマイクロコントローラーユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含むことができるがこれらに限定されない）、データを記憶するためのメモリ１００４、及び通信機能のための伝送装置１００６を備えることができる。当業者は、図１２に示す構造が例示的だけであり、上記電子装置の構造を限定するためのものではないことを理解することができる。例えば、コンピュータ装置１００はさらに図１２に示すものよりも多く又は少ないコンポーネントを備えることができ、又は図１２に示すものとは異なる構成を有することができる。
【０１１７】
メモリ１００４は、アプリケーションソフトウェアのソフトウェアプログラム及びモジュール、例えば本発明の実施形態における方法に対応するプログラムコマンド／モジュールを記憶することに用いられてもよく、プロセッサ１００２はメモリ１００４に記憶されたソフトウェアプログラム及びモジュールを実行することにより、様々な機能アプリケーション及びデータ処理を実行し、即ち上記方法を実現する。メモリ１００４は、高速ランダムアクセスメモリを含むことができ、さらに不揮発性メモリ、例えば一つ又は複数の磁気記憶デバイス、フラッシュメモリ、又は他の不揮発性固体メモリを含むことができる。いくつかの実施形態では、メモリ１００４はさらにプロセッサ１００２に対して遠隔に設置されたメモリを含むことができ、これらの遠隔メモリがネットワークを介してコンピュータ装置１００に接続されてもよい。上記ネットワークの実施形態はインターネット、イントラネット、ローカルエリアネットワーク、移動通信ネットワーク及びそれらの組み合わせを含むがこれらに限定されない。
【０１１８】
伝送装置１００６は、一つのネットワークを介してデータを受信又は送信することに用いられる。上述したネットワークの具体的な実施形態は、コンピュータ装置１００の通信プロバイダーによって提供される無線ネットワークを含むことができる。一つの実施形態では、伝送装置１００６はインターネットと通信するように基地局を介して他のネットワーク装置に接続することができるネットワークアダプタ（ＮＩＣ：Ｎｅｔｗｏｒｋ  Ｉｎｔｅｒｆａｃｅ  Ｃｏｎｔｒｏｌｌｅｒ）を含む。一つの実施形態では、伝送装置１００６は、インターネットと無線で通信するための無線周波数（ＲＦ：Ｒａｄｉｏ  Ｆｒｅｑｕｅｎｃｙ）モジュールであってもよい。
【０１１９】
本発明の実施形態で記載される技術案は、衝突することなく任意に組合わせられてもよい。
【０１２０】
本発明が提供するいくつかの実施形態では、開示される方法及びスマートデバイスは、他の方式により実現されてもよいと理解すべきである。上述した装置の実施形態は例示的なものだけであり、例えば、前記ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、表示又は議論される各コンポーネントの間の相互結合、又は直接結合、又は通信接続はいくつかのインターフェースを介して実現されてもよく、デバイス又はユニットの間接的結合又は通信接続は電気的な形態、機械的な形態又は他の形態であってもよい。
【０１２１】
分離部材として説明された前記ユニットは、物理的に分離するものであってもよく又は物理的に分離するものでなくてもよく、ユニットとして表示された部材は物理ユニットであってもよく又は物理ユニットでなくてもよく、即ち一つの位置に配置されてもよいし、複数のネットワークユニットに分散されてもよく、それらの一部又は全てのユニットは本実施形態の解決策の目的を達成するために、実際のニーズに応じて選択されてもよい。
【０１２２】
また、本発明の各実施形態における各機能ユニットは全て一つの第二の処理ユニットに統合されてもよいし、個々のユニットはそれぞれ単独で一つのユニットとして機能してもよく、２つ又は２つ以上のユニットは一つのユニットに統合されてもよく、上記の統合されたユニットは、ハードウェアの形で実現されてもよいし、ハードウェアとソフトウェア機能の組み合わせの形で実現されてもよい。
【０１２３】
以上は、本発明の具体的な実施形態だけであるが、本発明の保護範囲はこれに制限されず、当業者が本発明に開示された技術範囲内で容易に想到し得る変化又は入れ替わりが全て本発明の保護範囲以内に含まれるべきである。
【図１】
2021516890.tif 000003
【図２】
2021516890.tif 000004
【図３】
2021516890.tif 000005
【図４】
2021516890.tif 000006
【図５】
2021516890.tif 000007
【図６】
2021516890.tif 000008
【図７】
2021516890.tif 000009
【図８】
2021516890.tif 000010
【図９】
2021516890.tif 000011
【図１０】
2021516890.tif 000012
【図１１】
2021516890.tif 000013
【図１２】
2021516890.tif 000014
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
リソース構成方法であって、
端末が、ネットワーク装置から送信された第一の制御情報を受信し、前記端末の現在アクティブ化されている帯域幅部分（ＢＷＰ）が第一のＢＷＰであり、前記第一の制御情報が第一の指示情報を含み、前記第一の指示情報が、アクティブ化しようとするＢＷＰが第二のＢＷＰであることを示すことに用いられることと、
前記端末が、前記第一のＢＷＰと前記第二のＢＷＰが同時にアクティブ化できるか否かを確定し、前記第一のＢＷＰと前記第二のＢＷＰが同時にアクティブ化できる場合、前記端末が、前記第二のＢＷＰをアクティブ化すると同時に、前記第一のＢＷＰをアクティブ状態に維持し続けることとを含む、前記リソース構成方法。
【請求項２】
前記方法はさらに、
前記第一のＢＷＰと前記第二のＢＷＰが同時にアクティブ化できない場合、前記端末が、前記第二のＢＷＰをアクティブ化すると同時に、前記第一のＢＷＰを非アクティブ化することを含むことを特徴とする
請求項１に記載の方法。
【請求項３】
前記端末が前記第一のＢＷＰと前記第二のＢＷＰが同時にアクティブ化できるか否かを確定することは、
前記第一のＢＷＰと前記第二のＢＷＰが所定のルールを満たしている場合、前記端末が、前記第一のＢＷＰと前記第二のＢＷＰが同時にアクティブ化できることを確定することと、
前記第一のＢＷＰと前記第二のＢＷＰが所定のルールを満たしていない場合、前記端末が、前記第一のＢＷＰと前記第二のＢＷＰが同時にアクティブ化できないことを確定することとを含むことを特徴とする
請求項１又は２に記載の方法。
【請求項４】
前記第一のＢＷＰと前記第二のＢＷＰが所定のルールを満たしていることは、
前記第一のＢＷＰと前記第二のＢＷＰの中心周波数点及び帯域幅の大きさが同じであること、又は、
前記第二のＢＷＰの周波数領域範囲が前記第一のＢＷＰの周波数領域範囲内にあること、又は、
前記端末の無線周波数帯域幅能力が前記第一のＢＷＰと前記第二のＢＷＰの周波数領域範囲を同時にカバーすることができることを含むことを特徴とする
請求項３に記載の方法。
【請求項５】
前記端末が前記第一のＢＷＰと前記第二のＢＷＰが同時にアクティブ化できるか否かを確定することは、
前記端末が、ネットワーク装置から送信された第二の制御情報を受信し、前記第二の制御情報が第二の指示情報を含み、前記第二の指示情報が、前記第一のＢＷＰと前記第二のＢＷＰが同時にアクティブ化できるか否かを示すことを含み、
前記第二の制御情報は、ダウンリンク制御情報（ＤＣＩ）、又は無線リソース制御（ＲＲＣ）シグナリング、又はシステム情報（ＳＩ）であることを特徴とする
請求項１又は２に記載の方法。
【請求項６】
前記方法はさらに、
前記端末が、前記ネットワーク装置から送信された第一の構成情報を受信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられることと、
前記端末が、前記第一の構成情報に基づき、前記第一のＢＷＰ及び／又は前記第二のＢＷＰを非アクティブ化することとを含むことを特徴とする
請求項１−５のいずれか一項に記載の方法。
【請求項７】
前記方法はさらに、
前記端末が、前記ネットワーク装置から送信された第三の制御情報を受信し、前記第三の制御情報が第三の指示情報を含み、前記第三の指示情報が、非アクティブ化しようとするＢＷＰが前記第一のＢＷＰ及び／又は前記第二のＢＷＰであることを示すことに用いられることと、
前記端末が、前記第三の制御情報に基づき、前記第一のＢＷＰ及び／又は前記第二のＢＷＰを非アクティブ化することとを含むことを特徴とする
請求項１−５のいずれか一項に記載の方法。
【請求項８】
前記方法はさらに、
前記第一のＢＷＰと前記第二のＢＷＰの両方が非アクティブ化される場合、デフォルトのＢＷＰをアクティブ化することを含むことを特徴とする
請求項６又は７に記載の方法。
【請求項９】
リソース構成方法であって、
ネットワーク装置が、端末へ第一の制御情報を送信することを含み、
前記端末の現在アクティブ化されているＢＷＰが第一のＢＷＰであり、前記第一の制御情報が第一の指示情報を含み、前記端末が前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続けるように、前記第一の指示情報が、アクティブ化しようとするＢＷＰが第二のＢＷＰであることを示す、前記リソース構成方法。
【請求項１０】
前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられることを特徴とする
請求項９に記載の方法。
【請求項１１】
前記方法はさらに、
前記ネットワーク装置が、前記端末へ第二の制御情報を送信し、前記第二の制御情報が第二の指示情報を含み、前記第二の指示情報が、前記第一のＢＷＰと前記第二のＢＷＰが同時にアクティブ化できるか否かを示すことを含み、
前記第二の制御情報は、ＤＣＩ、又はＲＲＣシグナリング、又はＳＩであることを特徴とする
請求項９又は１０に記載の方法。
【請求項１２】
前記方法はさらに、
前記ネットワーク装置が、前記端末へ第一の構成情報を送信し、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられることを含むことを特徴とする
請求項９−１１のいずれか一項に記載の方法。
【請求項１３】
リソース構成装置であって、
ネットワーク装置から送信された第一の制御情報を受信するように構成され、前記端末の現在アクティブ化されている帯域幅部分（ＢＷＰ）が第一のＢＷＰであり、前記第一の制御情報が第一の指示情報を含み、前記第一の指示情報が、アクティブ化しようとするＢＷＰが第二のＢＷＰであることを示すことに用いられる第一の受信ユニットと、
前記第一のＢＷＰと前記第二のＢＷＰが同時にアクティブ化できるか否かを確定するように構成される確定ユニットと、
前記第一のＢＷＰと前記第二のＢＷＰが同時にアクティブ化できる場合、前記第二のＢＷＰをアクティブ化すると同時に、前記第一のＢＷＰをアクティブ状態に維持し続けるように構成されるアクティブ化及び非アクティブ化ユニットとを備える、前記リソース構成装置。
【請求項１４】
前記装置はさらに、
前記ネットワーク装置から送信された第一の構成情報を受信するように構成され、前記第一の構成情報が、前記第一のＢＷＰに対応する第一の時間長情報及び／又は前記第二のＢＷＰに対応する第二の時間長情報を含み、ここで、前記第一の時間長情報が、前記第一のＢＷＰのアクティブ化時間長が前記第一の時間長に達する場合、前記端末に第一のＢＷＰを非アクティブ化させるために用いられ、前記第二の時間長情報が、前記第二のＢＷＰのアクティブ化時間長が前記第二の時間長に達する場合、前記前記端末に第二のＢＷＰを非アクティブ化させるために用いられる第三の受信ユニットを備え、
前記アクティブ化及び非アクティブ化ユニットは、さらに前記第一の構成情報に基づき、前記第一のＢＷＰ及び／又は前記第二のＢＷＰを非アクティブ化するように構成されることを特徴とする
請求項１３に記載の装置。
【請求項１５】
前記装置はさらに、
前記ネットワーク装置から送信された第三の制御情報を受信するように構成され、前記第三の制御情報が第三の指示情報を含み、前記第三の指示情報が、非アクティブ化しようとするＢＷＰが前記第一のＢＷＰ及び／又は前記第二のＢＷＰであることを示すことに用いられる第四の受信ユニットを備え、
前記アクティブ化及び非アクティブ化ユニットはさらに前記第三の制御情報に基づき、前記第一のＢＷＰ及び／又は前記第二のＢＷＰを非アクティブ化するように構成されることを特徴とする
請求項１３に記載の装置。
【請求項１６】
リソース構成装置であって、
端末へ第一の制御情報を送信するように構成され、前記端末の現在アクティブ化されているＢＷＰが第一のＢＷＰであり、前記第一の制御情報が第一の指示情報を含み、前記端末が前記第一のＢＷＰと前記第二のＢＷＰが同時にアクティブ化できることを確定する時に、前記第二のＢＷＰをアクティブ化すると同時に、前記第一のＢＷＰをアクティブ状態に維持し続けるように、前記第一の指示情報が、アクティブ化しようとするＢＷＰが第二のＢＷＰであることを示す第一の送信ユニットを備える、前記リソース構成装置。
【請求項１７】
前記第一のＢＷＰと前記第二のＢＷＰが同時にアクティブ化できない場合、前記第一の指示情報は、前記端末が、前記第二のＢＷＰをアクティブ化すると同時に、前記第一のＢＷＰを非アクティブ化するようにするために用いられることを特徴とする
請求項１６に記載の装置。
【請求項１８】
前記装置はさらに、
前記端末へ第二の制御情報を送信するように構成され、前記第二の制御情報が第二の指示情報を含み、前記第二の指示情報が、前記第一のＢＷＰと前記第二のＢＷＰが同時にアクティブ化できるか否かを示す第二の送信ユニットを備えることを特徴とする
請求項１６又は１７に記載の装置。
【請求項１９】
前記第二の制御情報は、ＤＣＩ、又はＲＲＣシグナリング、又はＳＩであることを特徴とする
請求項１８に記載の装置。
【国際調査報告】
2021516890.tif 000015
2021516890.tif 000016
2021516890.tif 000017
2021516890.tif 000018